(57)【要約】【課題】連続してタッピング治療を行っても手指が疲れるようなことがなく、しかも操作性を大幅に改善して間欠タッピングにより顔などの皮膚あるいは体幹部などに連続的に機械的刺激を与えることができる電動筋肉調整美容器を提供する。【解決手段】美容器本体１はタッピング手段２と、タッピング駆動手段３とを有しており、タッピング駆動手段３をなすモータ２１と、このモータ２１の回転を減速する減速ギヤ２２の出力軸２３に固着した駆動ピン２０を低速回転させることによりハンマー１２を反スラスト方向に移動させ、駆動ピン２０がハンマー１２の開口部１２ｗから外れたときにリヤスプリング１４の弾発力によって移動シャフト１１、ピストンヘッド８、ヒッティングヘッド７を介してシリコンヘッド４をタッピング動作させるようにした。【選択図】図１
2014018269.tif 000002
【特許請求の範囲】
【請求項１】
皮膚に接触する当接面を有するシリコンヘッドと、このシリコンヘッドの後端部にヘッド金具を介して固定されるヒッティングヘッドと、このヒッティングヘッドをタッピングするピストンヘッドと、このピストンヘッドの先端面に凹設した凹陥部と前記ヒッティングヘッドの後端部の間に付設するフロントスプリングと、前記ピストンヘッドをスラスト方向に移動させる移動シャフトと、この移動シャフトをタッピングする開口部を備えたハンマーと、このハンマーをスラスト方向に移動可能に保持するハンマーガイドと、前記ハンマーをスラスト方向に付勢するリヤスプリングとからなるタッピング手段と、
前記ハンマーを前記リヤスプリングの弾発力に抗して反スラスト方向に移動させる原動力となるモータと、このモータの出力軸に連結された減速ギヤと、この減速ギヤの出力軸の軸方向に直交するように固着された駆動ピンと、前記モータを制御する制御スイッチとからなるタッピング駆動手段とからなり、
前記駆動ピンと、前記ハンマーの開口部と、前部フロントスプリングと、前記リヤスプリングとによって、前記ハンマーおよび前記シリコンヘッドが間欠的かつ電気的にタッピング動作を行うようになしたことを特徴とするエステ用電動タッピング美顔器。
【請求項２】
前記タッピング駆動手段は、前記タッピング手段のタッピング方向とほぼ直交するように配設された駆動手段収納ケース内に格納され、この駆動手段収納ケースの下端側に前記モータと前記減速ギヤを配設すると共に、前記駆動手段収納ケースの上端側に前記タッピング手段のタッピング方向と同方向に操作面を有するように前記制御スイッチを設けたことを特徴とする請求項１に記載のエステ用電動タッピング美顔器。
【発明の詳細な説明】
【技術分野】
【０００１】
本発明は顔などの皮膚表面に連続的に機械的刺激を与え、美容上の効果をもたらすことができると共に、体幹部に連続的に機械的刺激を与え、カイロプラクティック上の効果をもたらすことができる電動筋肉調整美容器に関する。
【背景技術】
【０００２】
従来、顔などの皮膚表面に外的刺激を与えて整肌美容を行う主な手段として、冷却法、温熱法、赤外線照射法、低周波パルス電圧を印加する低周波美容法などが提案され、これまでにその各刺激要素に応じた各種の美容器具類が開発されてきている。
【０００３】
また、下記の特許文献１には、顔を指のひらで叩くタッピング処理を実施する工程を含んだ美容方法が開示されていると共に、間欠的にタッピングによる刺激を体幹部に与え、凝りや骨格のゆがみを矯正するカイロプラクティックにいわゆるアクティベータ（登録商標）を用いることが下記の特許文献２に開示されている。
【０００４】
図５を使用して特許文献２に開示されたアクティベータ（登録商標）に関する従来技術を説明すれば、作動体１００はノブ部１０２と管状部材１０５からなるタッピング機構を備えており、治療者は図５に示すように人差し指１１０などと手の掌とを使って抑え金具１０３およびハンドル金具１０４を握力計のように握り、患者の患部にヘッド部１０１を当ててタッピングによる筋肉調整を行うものである。
【先行技術文献】
【特許文献】
【０００５】
【特許文献１】特開２００６−３４８０１７公報
【特許文献２】ＵＳＰ４，１１６，２３５公報
【発明の概要】
【発明が解決しようとする課題】
【０００６】
特許文献２の開示技術においては、治療者は抑え金具１０３とハンドル金具１０４とを指と掌の力で握るため、長時間治療を行うと手のひらが疲れるばかりでなく、場合によっては腱鞘炎になることもあるという欠点があった。
【０００７】
本発明は上記した従来の筋肉調整美容器の問題点を解消し、連続してタッピング治療を行っても手指が疲れるようなことがなく、しかも操作性を大幅に改善して間欠タッピングにより顔などの皮膚あるいは体幹部などに連続的に機械的刺激を与えることができる電動筋肉調整美容器を提供することを目的とするものである。
【０００８】
上記目的を達成するための本発明の構成を詳述すれば、請求項１に係る発明は、皮膚に接触する当接面を有するシリコンヘッドと、このシリコンヘッドの後端部にヘッド金具を介して固定されるヒッティングヘッドと、このヒッティングヘッドをタッピングするピストンヘッドと、このピストンヘッドの先端面に凹設した凹陥部と前記ヒッティングヘッドの後端部の間に付設するフロントスプリングと、前記ピストンヘッドをスラスト方向に移動させる移動シャフトと、この移動シャフトをタッピングする開口部を備えたハンマーと、このハンマーをスラスト方向に移動可能に保持するハンマーガイドと、前記ハンマーをスラスト方向に付勢するリヤスプリングとからなるタッピング手段と、前記ハンマーを前記リヤスプリングの弾発力に抗して反スラスト方向に移動させる原動力となるモータと、このモータの出力軸に連結された減速ギヤと、この減速ギャの出力軸の軸方向に直交するように固着された駆動ピンと、前記モータを制御する制御スイッチとからなるタッピング駆動手段とからなり、前記駆動ピンと、前記ハンマーの開口部と、前記フロントスプリングと、前記リヤスプリングとによって、前記ハンマーおよび前記シリコンヘッドが間欠的かつ電気的にタッピング動作を行うようになしたことを特徴とする電動筋肉調整美容器である。
【０００９】
また、請求項２に係る発明は、前記タッピング駆動手段は、前記タッピング手段のタッピング方向とほぼ直交するように配設された駆動手段収納ケース内に格納され、この駆動手段収納ケースの下端側に前記モータと前記減速ギヤを配設すると共に、前記駆動手段収納ケースの上端側に前記タッピング手段のタッピング方向と同方向に操作面を有するように前記制御スイッチを設けたことを特徴とする請求項１に記載の電動筋肉調整美容器である。
【発明の効果】
【００１０】
上述のように、本発明に係る筋肉調整美容器によれば、タッピング動作は電動で行われ手の指や掌の力を必要としないので、連続使用の場合でも治療者の手指が疲れるようなことがないし、また、腱鞘炎になることもない。したがってカイロプラクティックに使用すれば治療の効果も上がり、美顔器として使用すれば血行が改善されると共に皮膚内部の表情筋などが鍛えられ美容上の効果も向上する。また、制御スイッチの操作面がタッピング動作と同じ方向にあるので操作性が飛躍的に向上するものである。
【図面の簡単な説明】
【００１１】
【図１】本発明に係る電動筋肉調整美容器の内部構造の一例を示す断面図である。
【図２】図１のＸ−Ｘ線に沿った断面図である。
【図３】本発明に係る電動筋肉調整美容器の外観図である。
【図４】本発明に係る電動筋肉調整美容器の使用方法を示す外観図である。
【図５】従来の作動体の使用状態を示す外観図である。
【発明を実施するための形態】
【００１２】
以下、本発明に係る電動筋肉調整美容器の具体的構成を図示の実施形態に基づき詳細に説明する。
【００１３】
図中１は本発明に係る美容器本体の全体を示すもので、当該美容器本体１はタッピング手段２と、タッピング駆動手段３とを有している。
【００１４】
先ず、タッピング手段２は皮膚に接触する当接面５を有するシリコンヘッド４と、当該シリコンヘッド４の後端部にヘッド金具６を介して固定されるヒッティングヘッド７と、当該ヒッティングヘッド７をタッピングするピストンヘッド８と、当該ピストンヘッド８の先端面に凹設した凹陥部９と前記ヒッティングヘッド７の後端部の間に付設するフロントスプリング１０と、前記ピストンヘッド８をスラスト方向に移動させる移動シャフト１１と、この移動シャフト１１をタッピングする開口部１２ｗを備えたハンマー１２と、このハンマー１２をスラスト方向に移動可能に保持するハンマーガイド１３と、前記ハンマー１２をスラスト方向に付勢するリヤスプリング１４とを有している。
【００１５】
なお、以下の説明において、シリコンヘッド４およびシリコンヘッド４に結合するヒッティングヘッド７等の要素が、シリコンヘッド４の方向、すなわちスラスト方向に沿って移動あるいは瞬動する動作をタッピング動作と言う。また、シリコンヘッド４の方向をスラスト方向と言う。
【００１６】
前記タッピング手段２のうち、ヒッティングヘッド７、ピストンヘッド８、フロントスプリング１０およびピストンヘッド８をスラスト方向に移動させる移動シャフト１１の一部は円筒状をなすフロントケース１５の内部に配設され、移動シャフト１１の残余の部分、開口部１２ｗを備えたハンマー１２、ハンマーガイド１３およびリヤスプリング１４は円筒状をなすリヤケース１６の内部に配設されている。なお、図示の実施形態ではフロントケース１５の内径がリヤケース１６の外径より僅かに大きく形成されており、フロントケース１５の後端部内にリヤケース１６の前端部が嵌合固定された構造となっている。
【００１７】
皮膚に接触する当接面５を有するシリコンヘッド４はヘッド金具６とともにフロントケース１５の先端部に嵌着されているキャップ部１７の外側に位置しており、フロントスプリング１０の付勢力はピストンヘッド８に作用するようになっている。また、ヒッティングヘッド７の後端部には鍔部１８が突成されており、ヒッティングヘッド７がスラスト方向に瞬動したとしても、この鍔部１８が前記キャップ部１７の後端面に当接して動作域が制限されるようになっている。
なお、
【００１８】
ヒッティングヘッド７の後端面には環状をなすように凹溝を凹設してあり、当該凹溝内に緩衝効果を有するパッキン１９を嵌着してある。従って、ピストンヘッド８がスラスト方向に瞬動してヒッティングヘッド７の後端面に衝突するときの衝撃をある程度緩和することができる。
【００１９】
ハンマー１２は、後述するタッピング駆動手段３によって移動シャフト１１をタッピング動作させるための開口部１２ｗを備えている。すなわち、後述するタッピング駆動手段の駆動ピン２０が回転する毎にハンマー１２の開口部１２ｗに嵌入し、ハンマー１２を反スラスト方向にリヤスプリング１４を圧縮しながら、移動させる。
【００２０】
次に、タッピング駆動手段３は、前記ハンマー１２をリヤスプリング１４の弾発力に抗して反スラスト方向に移動させる原動力となるモータ２１と、このモータ２１の出力軸に連結された減速ギヤ２２と、この減速ギャ２２の出力軸２３の軸方向に直交するように出力軸２３の先端部付近に固着された駆動ピン２０と、前記モータ２１を制御する制御スイッチ２５とを有している。
【００２１】
タッピング駆動手段３は、前記タッピング手段２のタッピング方向とほぼ直交するように配設された駆動手段収納ケース２４内に格納され、当該駆動手段収納ケース２４の下端側に前記モータ２１と前記減速ギヤ２２を配設すると共に、駆動手段収納ケース２４の上端側に前記タッピング手段２のタッピング方向と同じ方向に操作面を有するように制御スイッチ２５を設けてある。なお、減速ギヤ２２は、たとえばモータ２１の回転を１〜３秒間に１回転の低速回転に減速させることができるようギヤ比を設定してある。
【００２２】
次に、図２を用いてタッピング駆動手段３における駆動ピン２０周辺の構造を説明すれば、駆動ピン２０は円弧軌道ｋに沿って回転を行い、駆動ピン２０がハンマー１２の開口部１２ｗ内に間欠的に嵌入することによってリヤスプリング１４を圧縮しながらハンマー４を反スラスト方向に移動させる。
【００２３】
さらに駆動ピン２０が回転し、駆動ピン２０がハンマー１２の開口部１２ｗから外れると、ハンマー４は係合状態が解除されるのでリヤスプリング１４の弾発力によってスラスト方向に勢いよく瞬動する。するとハンマー１２は移動シャフト１１およびピストンヘッド８をスラスト方向に押し出しタッピングし、さらにピストンヘッド８はヒッティングヘッド７をタッピングしてシリコンヘッド４の当接面５にタッピング動作を生じさせるものである。
【００２４】
なお、制御スイッチ２５はモータ２１を駆動する電源のオンオフを行うプッシュスイッチであり、シリコンヘッド４のタッピング動作と同じ方向に操作面を有するように、駆動手段収納ケース２４に固定されている。
【００２５】
次に、図３を用いて本発明に係る美容器本体１の外観について説明すれば、シリコンヘッド４およびヘッド金具６を除くタッピング手段２の主なパーツは、円筒形のフロトケース１５およびリヤケース１６内に収納され、タッピング駆動手段３は前記タッピング手段２と直交するように配設された駆動手段収納ケース２４内に収納され、駆動手段収納ケース２４の上端側にはシリコンヘッド４のタッピング動作の方向と同じ方向に操作面を持つ制御スイッチ２５が設けられている。
【００２６】
本発明に係る電動筋肉調整美容器は、以上のようにタッピング手段２と、タッピング駆動手段３とを有しており、タッピング駆動手段３をなす駆動ピン２０と、タッピング手段をなすハンマー１２の開口部１２ｗと、フロントスプリング１０およびリヤスプリング１４とによって、前記ハンマー１２およびシリコンヘッド４が間欠的かつ電気的にタッピング動作を行い表情筋などの筋肉を調整することができるものである。
【００２７】
図４は本発明に係る美容器本体１を握持して治療を行うときの状態を示すものであり、治療者は、美容器本体１のタッピング駆動手段３を収納した駆動手段収納ケース２４の下部を、親指２６および中指２７、薬指、小指で握るようにしてこれを保持する。
【００２８】
人差し指２８は制御スイッチ２５の操作面に当て、美容器本体１の動作をオンオフする。美容器本体１は親指２６および中指２７、薬指、小指で握られているので、治療者は美容器本体１を十分な固定力で保持することができる。さらに人差し指２８は駆動手段収納ケース２４を握りながら制御スイッチ２５の操作面に触れることができる。
【００２９】
以上のように、本発明に係る筋肉調整美容器によれば、タッピング動作は電動であって手の指や掌の力を必要としないので、長時間使用しても治療者の手が疲れるようなことがなく、また腱鞘炎になることもない。よって治療者は治療に専念できるので治療効果が上がると共に、腕や指の力が弱い女性でも連続して気軽に使うことができる。
【００３０】
さらに、タッピング駆動手段３は、タッピング手段２と直交するように配設された駆動手段収納ケース２４の内部に収納され、駆動手段収納ケース２４の上端部にはシリコンヘッド４のタッピング動作の方向と同じ方向に操作面を持つように制御スイッチ２５が設けられているので、治療者は親指２６と人差し指２８によって、駆動手段収納ケース２４を十分な固定力で保持しながら、制御スイッチ２５の操作面に触れることができる。
【００３１】
すなわ、本発明によれば美容器本体１を、的確かつ容易に操作することができるので、カイロプラクティック治療においても、また表情筋などを鍛える美顔効果をもたらすタッピング治療を行う上でもより効果を上げることが可能となる。
【符号の説明】
【００３２】
１：美容器本体
２：タッピング手段
３：タッピング駆動手段
４：シリコンヘッド
５：当接面
６：ヘッド金具
７：ヒッティングヘッド
８：ピストンヘッド
９：凹陥部
１０：フロントスプリング
１１：移動シャフト
１２：ハンマー
１２ｗ：開口部
１３：ハンマーガイド
１４：リヤスプリング
１５：フロントケース
１６：リヤケース
１７：キャップ部
１８：鍔部
１９：パッキン
２０：駆動ピン
２１：モータ
２２：減速ギヤ
２３：出力軸
２４：駆動手段収納ケース
２５：制御スイッチ
２６：親指
２７：中指
２８：人差し指
【図１】
2014018269.tif 000003
【図２】
2014018269.tif 000004
【図３】
2014018269.tif 000005
【図４】
2014018269.tif 000006
【図５】
2014018269.tif 000007